(57)【要約】【課題】紐先端部の形状や太さにできるだけ制限されず、かつ取り付けが簡単な紐先端部取付具を提供すること。また、紐先端取付具によってアクセサリ等の各種の付加物を紐先端に容易に装着／脱着（取り付け／取り外し）できるようにすること。【解決手段】本発明に係る紐先端取付具においては、バネ状取付具によって各種の先端構造を有する紐先端に容易に取り付けることが可能となる。また該紐先端取付具を付加物取付具が容易に装着／脱着できる構造とすることにより紐先端の簡単に付加物を装着／脱着することができる。【選択図】図１
2015208585.tif 000002
【特許請求の範囲】
【請求項１】
紐先端部を筒状に挟み込む複数の挟み込み部材と、該挟み込み部材による紐先端部挟み込み状態を保持する保持部材とを備えることを特徴とする紐先端部取り付け具。
【請求項２】
請求項1の紐先端部取付具において、前記複数挟み込み部材の内側に単数或いは複数の突起を有することを特徴とする紐先端部取り付け具。
【請求項３】
請求項１もしくは２記載の紐先端部取り付け具において、前記挟み込み部材の内径が一様ではないことを特徴とする紐先端部取り付け具。
【請求項４】
請求項１乃至３のうち１項記載の紐先端部取り付け具において、保持部材が装飾品取り付け可能なる構造であることを特徴とする紐先端部取り付具。
【請求項５】
請求項１乃至４のうち１項記載の紐先端部取り付け具において、装飾品の一部を保持部材の保持構造と同様な構造とすることを特徴とする紐先端部取り付け具。
【請求項６】
前記複数の挟み込み部材の外側にネジ山が設けられ、前記保持部材の内側には前記ネジ山と螺合するネジが設けられることを特徴とする請求項１乃至５のうち１項記載の紐先端部取り付け具。
【請求項７】
前記複数の挟み込み部材の外側に突起が設けられ、前記保持部材の内側には前記突起と嵌合する突起嵌合部が設けられることを特徴とする請求項１乃至５のうち１項記載の紐先端部取り付け具。
【請求項８】
前記保持部材は複数である、請求項１もしくは２記載の紐先端部取り付け具。
【請求項９】
前記複数の挟み込み部材の内側は軸芯方向に先細りしていることを特徴とする、請求項１乃至８のうち１項記載の紐先端部取り付け具。
【発明の詳細な説明】
【技術分野】
【０００１】
本発明は、靴紐等の紐の先端に飾り等を付けるための取付具に関するものである。
【背景技術】
【０００２】
現在、老弱男女を問わず非常に多くの靴が販売されており、実用のみならず各種のおしゃれ用の靴も普及している。さらに、このような靴に色々な装飾品を取り付けておしゃれを楽しむことも多いが、靴紐にまで装飾品を付けている例は少ない。
【０００３】
一方、靴紐に類似した衣料品における紐状のものとしては、パーカやスウェット、レインウエアのフード等に付ける紐がある。これらは抜けおちないよう端末を丸く縛るくらいで、おしゃれな飾りを付けている例は殆ど無い。
【０００４】
上記靴紐用のおしゃれな装飾品としては特許文献１に開示されるものがある。ここに開示される技術思想は、装飾部品をリングによって連結したゴムチューブを靴紐先端に差し込むものである。
【０００５】
靴紐先端に自在着脱できるため、いろいろな装飾具を付け替えてオシャレを楽しめる点は有利性をもたらす可能性はあるものの、ゴムチューブ差し込み式のために靴紐先端部の紐通し部が円筒状にまとめられていることが望ましい等、紐先端部の形状や太さにかなりの制限が出てしまう怖れがある。また、装身具が抜け落ちないようにするためには、紐先端外径よりゴムチューブ内径を若干小さくするため装身具取付にはかなりの力を必要とし、各種装身具の付け替えは簡単ではないと考えられる。
【０００６】
更に、雨天時には雨滴がゴムチューブと紐先端差し込み部との間に染み込んで、ゴムチューブが抜け落ちてしまう恐れがある。また、ゴムチューブの経年劣化によっても抜け落ちてしまう恐れがある。
【０００７】
また、特許文献１に開示される技術思想は靴紐用の装飾具に限定されており、ゴムチューブでの取り付けのためか、パーカやスウェット、レインウエアのフード紐に取り付ける装飾具への応用には触れられていない。
【先行技術文献】
【特許文献】
【０００８】
【特許文献１】登録実用新案第３０９７８５３号公報
【発明の概要】
【発明が解決しようとする課題】
【０００９】
本発明は上記の従来技術上の諸問題を解決しようとするものであり、紐先端部の形状や太さにできるだけ制限されず、かつ取り付けが非常に簡単な紐先端部取付具を提供することを課題とする。また、水濡れや振動衝撃によって離脱しない紐先端部取付具を提供することも課題である。
【００１０】
更に、靴紐ばかりでなくパーカやレインウエアのフードに付いているような紐の先端にも着脱できる紐先端部取付具を提供することも課題である。また更に、紐先端取付具によってアクセサリ等の各種の付加物を紐先端に容易に着脱でき、靴紐等の紐穴通しに支障を来さないよう、容易に外すことができるようにすることも課題である。
【課題を解決するための手段】
【００１１】
上記のような各課題を解決するために、本発明に係る紐先端部取付具においては、請求項１の如く、紐先端部を筒状に挟み込む複数の挟み込み部材と、該挟み込み部材による紐先端部挟み込み状態を保持する保持部材とを備えて構成される。
【００１２】
また、請求項２の如く、上記紐先端部を筒状に挟み込む挟み込み部材の内側に単数もしくは複数の突起を設けるようにしてもよい。
【００１３】
更に、請求項３の如く、上記挟み込み部材の内側に単数或いは複数の突起を有するようにしてもよい。
【００１４】
請求項４の如く、前記挟み込み部材の内径が一様ではないようにしてもよい。
【００１５】
請求項５の如く、保持部材が装飾品取り付け可能なる構造であるようにしてもよい。
【００１６】
請求項６の如く、装飾品の一部を保持部材の保持構造と同様な構造とするようにしてもよい。
【発明の効果】
【００１７】
上記構成を有する本発明によれば、紐先端部の形状や太さにできるだけ制限されず、かつ取り付けが簡単な紐先端部取付具を提供することが可能となり、各種の靴紐の先端にアクセサリ等の付加物を簡単に装着／脱着することができる。
【００１８】
挟み込み部材と保持部材のみで構成されており、両部材とも大変簡易な構造となっており容易に量産することができるため費用低減及び省資源という効果も有する。
【００１９】
また、紐先端部の形状や寸法に制限されないという特性を生かし、フードを締める紐等の先端部にもアクセサリ等の付加物を取り付けることができ、新しい装身具とすることも可能である。
【００２０】
さらに、紐先端部に一旦本発明の紐先端取付具を取り付けておけば、各種の付加物を簡単に着脱することができ、アクセサリのような飾りばかりでなく、光反射体を取り付ければ交通事故の防止にも寄与することが可能となり広い応用が可能となる。
【図面の簡単な説明】
【００２１】
【図１】本発明の一実施形態に係る紐先端取付具の構成を示す概略図である。
【図２】本発明の一実施形態に係る紐先端取付具の断面図である。
【図３】本発明の一実施形態に係る紐先端取付具の取付説明図である。
【図４】本発明の別の実施形態に係る紐先端取付具の構成断面図である。
【図５】本発明の他の実施形態に係る紐先端取付具の構成断面図である。
【図６】本発明の更に別の実施形態に係る挟み込み部材の断面図である。
【図７】本発明の一実施形態に係る紐先端取付具の装飾品取付図である。
【図８】本発明の更に他の実施形態に係る紐先端取付具の装飾品取付図である。
【発明を実施するための形態】
【００２２】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２３】
本発明の一実施形態に係る紐先端取付具は、図１（Ａ）の挟み込み部材１と図１（Ｂ）の保持部材２とを備えて構成されている。図２は、挟み込み部材１及び保持部材２の断面図である。図１において、挟み込み部材１は１ａ、１ｂの２個から成り、合成樹脂等で２個を一体成型できるよう１ａ、１ｂ両者の端部が合成樹脂の薄接続部４で接続されており、後述のように薄接続部４を折り返して紐先端部を筒状に挟み込むことで挟み込み部材１となる。図１では、製造及び実際使用時の簡便さを考慮して１ａ、１ｂを接続した形態としているが、もちろん個々に分割した部材としても良く、挟み込み部材１及び保持部材２の材質は金属や木材でも良い。
【００２４】
なお、図１では挟み込み部材１を２分割した例を示しているが、紐先端を挟み込む構造になっており、且つ保持部材によって挟み込み状態を保持できる構造になっていれば、３、４…分割と複数分割しても良く、それ等は全て本発明の発明思想に含まれるものである。
【００２５】
図２（Ｃ）は挟み込み部材１の断面図であり、図の例では筒状の挟み込み部材１の上部内側に角状の突起３が設けられている。また、筒状の挟み込み部材１の下部外側は雄ねじ構造４となっている。
【００２６】
図１（Ｂ）は保持部材２の筒型の外観図であり、図２の（Ｄ）は同保持部材２の断面図である。これらの両図に示すとおり、筒型の保持部材２の内側上部は雌ねじ５になっており、筒型の挟み込み部材１の外側の雄ねじ４と嵌合するピッチ、口径となっている。
【００２７】
図３は、本発明の一実施形態に係る紐先端取付具による、実際の紐先端挟み込みの状態を示す説明図である。図３では、綿製の靴紐のような紐６を挟み込み部材１の一方の、例えば部材１ａの内側に押し込むと、突起３の部分で紐６が細まる。この状態で挟み込み部材１のもう一方の部材１ｂを部材１ａの上に重ね、その状態で挟み込み部材１の下部から保持部材２をねじ込むことにより、雄ねじ４と雌ねじ５が嵌合して挟み込み部材１が紐６を挟み込んだ状態で保持でき、挟み込み部材１の突起３が紐６に食い込んで、紐先端取り付け具が抜け落ちることがない。
【００２８】
上記説明においては、挟み込み部材１の内側突起３を、上部の一個の角状突起を例にして説明してきたが、紐６の先端をよりしっかり抑えるために、図４では環状三角形の複数の突起によって紐先端を抜け落ちしないようにした例を示している。このように紐６を抜けないようにする突起は、その数や形状についてはいろいろ考えられるが、それ等は全て本発明の発明思想に含まれるものである。
【００２９】
更に、上記説明では、紐６を挟み込んだ状態を保持するために挟み込み部材１と保持部材２とをねじの嵌合によって嵌合し、図４に示すように、挟み込み部材１の下部外側に環状突起７を設け、保持部材２の内側に環状凹部８を設け、保持部材２を挟み込み部材１に押し込んだとき、環状突起７と環状凹部８とが嵌合して保持状態となるようにしても良い。このように、挟み込み部材と保持部材との結合方法は各種考えられるが、それ等は全て本発明の発明思想に含まれるものである。
【００３０】
図５は本発明の別の応用実施例の断面図である。挟み込み部１１の外側は、上部から下部に亘って雄ねじ構造になっており、保持部材は２分割して上部と下部からねじ込み構成とした例である。すなわち、まず上部用の保持部材１０に紐を通しておいてから、紐先端を挟み込み部材１１で挟み込み、上部から保持部材１０をねじ込み、紐先端を挟み込んだ状態で保持する。次に保持部材１２を下部からねじ込む訳であるが、この保持部材１２に装飾品を取り付けられるようにしておけば装飾品の取付がさらに容易になる。
【００３１】
図６は、筒型の挟み込み部材１の内径を、点線２１の如く先端部に行くに従って小さくすることにより、太さの異なる紐でも確実に挟み込んで抑えることができる。すなわち、挟み込み部材１の内面には前面に亘って突起があり、太さの太い紐１４を挟み込む場合は、紐１４の先端部が上部の１５まで、細い紐１３の場合は、その先端部が下部の１６まで挟み込むことにより、紐の太さによって挟み込む位置を変えて、抜け落ちることがないよう確実に取り付けることができる。
【００３２】
図７は、保持部材２に装飾品を取り付けた例を示している。保持部品２の上部に溝１７を設け、この部分にタッセルのような装飾品を取り付けた例であるが、代わりにねじ構造や接着剤等によって装飾品を取り付けても良い。
【００３３】
図８は、保持部材２を装飾品１９に組み込むか、或いは装飾品１９の一部を保持部材と同じ雌ねじ構造２０とすることにより、紐先端の保持と装飾品の取付を一挙に行うことができる。
【符号の説明】
【００３４】
１…挟み込み部材、１ａ、１ｂ…部材、２…保持部材、３…突起、４…雄ねじ、５…雌ねじ、６…紐、７…環状突起、８…環状凹部、９…複数突起、１０…保持部材、１１…挟み込み部材、１２…保持部材、１３…細紐、１４…太紐、１５…先端部、１６…先端部、１７…溝、１８…タッセル、１９…装飾品、２０…雌ねじ構造、２１…挟み込み部材内面点線
【図１】
2015208585.tif 000003
【図２】
2015208585.tif 000004
【図３】
2015208585.tif 000005
【図４】
2015208585.tif 000006
【図５】
2015208585.tif 000007
【図６】
2015208585.tif 000008
【図７】
2015208585.tif 000009
【図８】
2015208585.tif 000010